(57)【要約】【課題】除塵用オイルを交換する際の作業性、及び視認性の向上を図る。【解決手段】オイルパン３の側面２３にレベル表示面２３ａを形成し、このレベル表示面２３ａの下部に内方へ突出する段部２５を形成する。そして、この段部２５の上面２５ａを除塵用オイルの規定レベルを指標する位置に形成する。除塵用オイルを交換するに際し、作業者はオイルパン３に形成されている段部２５の上面２５ａを上方から視認しながら注入することで、除塵用オイルを規定量だけ注入することができる。【選択図】図４
2004232564.tif 000002
【特許請求の範囲】
【請求項１】
クリーナ本体と、
上記クリーナ本体に固定すると共に除塵用オイルを貯留するオイルパンと、
上記オイルパンに対して上方から外装するクリーナカバーと、
を備えたオイルバス式エアクリーナにおいて、
上記オイルパンの内側面に内方へ突出する段部を設け、
上記段部の上面を上記除塵用オイルの規定レベルを指標する位置に形成したことを特徴とするオイルバス式エアクリーナ。
【請求項２】
上記段部の上面が平坦に形成されていることを特徴とする請求項１記載のオイルバス式エアクリーナ。
【請求項３】
上記オイルパンの少なくとも上記段部の形成されている側面が光透過性を有していることを特徴とする請求項１或は２記載のオイルバス式エアクリーナ。
【発明の詳細な説明】
【０００１】
【発明の属する技術分野】
本発明は、オイルバス式エアクリーナのオイルパンに除塵用オイルを注入するに際して、規定された注入量を目視にて確認することの可能なオイルバス式エアクリーナに関する。
【０００２】
【従来の技術】
一般に、この種のオイルバス式エアクリーナは、流入される吸入空気を、先ず、オイルパンに貯留されている除塵用オイルに接触させて、一次除塵を行い、次いで、クリーナエレメントを通過させて２次除塵を行い、２次除塵後の吸入空気をエンジンの吸気系へ供給する構造を有しており、通常の乾式エアクリーナに比し、クリーナエレメントを頻繁に交換する手間を省くことができるため、農業機械、或は土木建設機械のように、塵埃の多い環境下で使用されるエンジンに多く採用されている。
【０００３】
又、この種のオイルバス式エアクリーナは、除塵用オイルがある程度汚れた場合に、新たなオイルと交換する必要があるが、オイル交換の作業を容易にするために、オイルパンをクリーナ本体から簡単に取り外すことができるようにした構造を採用するものも多い。
【０００４】
例えば特許文献１には、ケース本体の下縁リブにリング状のリブ補強部材を介装し、このリブ補強部材に形成した係合凹部に、オイルパンの外周に形成した突条を係合させることで、オイルパンを位置決めした状態でケース本体の下縁リブに簡単に装着することができるようにしたオイルバス式エアクリーナが開示されている。
【０００５】
【特許文献１】
特開２００２−１８６８１８号公報
【０００６】
【発明が解決しようとする課題】
ところで、除塵用オイルを交換する場合、注入する除塵用オイルのレベルも管理する必要がある。すなわち、除塵用オイルの注入レベルが規定レベルより低いと十分な除塵能力を発揮させることができなくなり、一方、注入レベルが規定レベルより高い場合は除塵用オイルの飛沫が吸入空気と共に上昇してクリーナエレメントに被着し、クリーナエレメントが汚損する不都合がある。
【０００７】
しかし、オイルパンに対して作業者が除塵用オイルを一々計量して注入する場合は少なく、実際には、目分量で注入する場合が一般的である。そのため、オイルパンの側面には上記除塵用オイルの規定レベルを示す指標が表示されている。
【０００８】
除塵用オイルを注入するに際して、作業者は、オイルパンの側面に表示されている規定レベルと除塵用オイルの注入量とを側面から一々確認しながら注入しなければならないが、除塵用オイルは上方から注入されるため、側面から注入量を確認することは面倒で作業性が悪い。特に、オイルパンが金属製等、不透明部材で形成されている場合は、側面からオイルレベルを確認することができないため、視認性が悪く、規定量の除塵用オイルを注入するには、細心の注意が必要となり、オイル交換に手間取り、作業性が悪い不都合がある。
【０００９】
本発明は、上記事情に鑑み、除塵用オイルを交換する際の作業性、及び視認性が良く、保守点検の容易なオイルバス式エアクリーナを提供することを目的とする。
【００１０】
【課題を解決するための手段】
上記目的を達成するため請求項１記載の発明は、クリーナ本体と、上記クリーナ本体に固定すると共に除塵用オイルを貯留するオイルパンと、上記オイルパンに対して上方から外装するクリーナカバーとを備えたオイルバス式エアクリーナにおいて、上記オイルパンの内側面に内方へ突出する段部を設け、上記段部の上面を上記除塵用オイルの規定レベルを指標する位置に形成したことを特徴とする。
【００１１】
請求項２記載の発明は、請求項１記載の発明において、上記段部の上面が平坦に形成されていることを特徴とする。
【００１２】
請求項３記載の発明は、請求項１或は２記載の発明において、上記オイルパンの少なくとも上記段部の形成されている側面が光透過性を有していることを特徴とする。
【００１３】
請求項１記載の発明によれば、オイルパンを上方から視認すると、オイルパンの内側面に内方へ突出する段部を認識することができ、しかもこの段部の上面が上記除塵用オイルの規定レベルを指標するものであるため、作業者は段部の上面を視認しながら除塵用オイルを注入するだけで、除塵用オイルを規定量だけ注入することができる。
【００１４】
請求項２に記載の発明によれば、段部の上面が平坦に形成されているので、オイルパンが水平位置にあることを認識しながら除塵用オイルを注入することができる。
【００１５】
請求項３に記載の発明によれば、オイルパンの少なくとも段部の形成されている側面が光透過性を有しているので、除塵用オイルの注入量を側面からも確認することができる。
【００１６】
【発明の実施の形態】
以下、図面に基づいて本発明の一実施の形態を説明する。図１はオイルバス式エアクリーナの側面図、図２は図１を背面から見た断面図である。
【００１７】
同図に示すように、本実施の形態で採用するオイルバス式エアクリーナ１は、図示しないエンジンに固設するクリーナ本体としての架台２と、この架台２に載置されるオイルパン３と、このオイルパン３に外装されるクリーナカバー４とを備えている。
【００１８】
オイルパン３は透明或は半透明の光透過性を有する樹脂製であり、このオイルパン３の底面に長円形状の下枠部５が突設されている。図５、図６に示すように、この下枠部５がオイルパン３の底面に対して非対称に配設されている。又、オイルパン３の略中央に、上下方向へ貫通する内筒６が形成されており、この内筒６の中央にボス７が、内筒６から十字状に延出されているリブ８を介して支持されている。
【００１９】
一方、図２に示すように、架台２の上面略中央に上方へ突出する軸部９が形成されており、更に、この軸部９に、上方へ突出するボルト１０の基部がインサート形成されている。又、架台２の上面には、オイルパン３の底面に形成されている下枠部５の下端がＯリング１１を介して装着される溝部１２が形成されている。尚、図示しないが、架台２上の溝部１２で囲まれた部位には、エンジンの吸気取入れ口に連通する吸気通路が開口されている。
【００２０】
オイルパン３の下枠部５を、架台２の溝部１２にＯリング１１を介して装着した状態では、このオイルパン３に形成されているボス７が、軸部９から突出するボルト１０に挿通されると共に、ボス７の底面が軸部９の上端面に当接される。尚、オイルパン３に形成した下枠部５は、オイルパン３の底面に対して非対称に配設されているため、架台２の上面の対応する位置に形成されている溝部１２に対して、下枠部５を装着することで、オイルパン３の取付け方向が一義的に決定される。
【００２１】
更に、ボス７の上端から突出するボルト１０には、エレメント押え１３の中央に形成された軸部１５が挿通され、この軸部１５の底面がボス７の上面に当接される。エレメント押え１３は、中央に内筒１４を有し、この内筒１４の外周下部に、内筒１４から放射状に延出するステー（図示せず）を介して支持されている受け枠１６が形成されている。尚、この受け枠１６の外周が、クリーナカバー４の内面上部に下方へ向けて突設されているエレメント収容枠１７の下端縁に内装される。又、内筒１４の下端が、オイルパン３に設けた内筒６の上端に形成されている溝部６ａに装着される。
【００２２】
エレメント収容枠１７は長円形状に形成されており、このエレメント収容枠１７にスポンジ状のクリーナエレメント１８が収容される。このクリーナエレメント１８はエレメント収容枠１７の内周に沿った長円形を有し、その略中央に孔部が穿設されたドーナツ状に形成されている。この孔部にエレメント押え１３の内筒１４が挿通される。更に、このクリーナエレメント１８の底面が、エレメント押え１３に形成されている受け枠１６、及びこの受け枠１６を内筒１４に連設するステー（図示せず）により掛止されて保持されている。
【００２３】
又、軸部１５は内筒１４の内周に対し、軸部１５から放射状に延出されているリブ（図示せず）を介して支持されており、この軸部１５の上面に、クリーナカバー４の内面上部が当接され、クリーナカバー４から突出されているボルト１０が蝶ナット２０を介して締付けられる。内筒１４の上部には流入口２１が所定間隔毎に開口されており、この流入口２１を介してエレメント収容枠１７と内筒１４とが連通される。
【００２４】
又、クリーナカバー４の外周に形成されたカバー側面部２２は、オイルパン３の側面２３に対し所定間隔を開けて外装されており、カバー側面部２２の内側面とオイルパン３の側面２３との間に吸気通路２４が形成される。
【００２５】
図１に示すように、クリーナカバー４のカバー側面部２２の一側には、切欠き窓２２ａが形成されており、この切欠き窓２２ａから、オイルパン３の側面２３を構成するレベル表示面２３ａが露呈される。尚、図示しないが、切欠き窓２２ａの周縁には内方へ突出するリブが形成されており、このリブがレベル表示面２３ａの外縁に接触される。
【００２６】
レベル表示面２３ａに除塵用オイルの規定レベルを指標する段部２５が形成されている。図４に示すように、この段部２５は、側面２３の下部を内方へ凹ませて形成され、その上面２５ａが、図３、図５に示すように、水平方向へ平坦に延出されている。そして、この上面２５ａが除塵用オイルの規定レベルを指標する位置に設定されている。尚、図３に示すように、レベル表示面２３ａの外面には、除塵用オイルの規定レベルを表示するレベル指標部２６が印刷等の手段により形成されている。
【００２７】
次に、このような構成による本実施の形態の作用について説明する。
図２に示すように、所定に組立てられたオイルバス式エアクリーナ１をエンジン（図示せず）の吸気系に所定に取付けた状態で、エンジンを稼働すると、クリーナカバー４のカバー側面部２２の内側面とオイルパン３の側面２３との間に形成された吸気通路２４の下方に開口する取入れ口から、塵埃の混入されている空気が吸入される。
【００２８】
この塵埃の混入されている空気は、吸気通路２４に沿って上昇し（図２の矢印Ａ）、その際、質量の比較的大きな塵埃が落下して吸入空気が一次除塵される。そして、一次除塵が行われた吸入空気は、オイルパン３の上端とクリーナカバー４の内周面とクリーナカバー４の上面から下方へ突出されているエレメント収容枠１７とによって形成された通路に沿って、流動方向が反転されてオイルパン３内へ導かれる（図２の矢印Ｂ）。
【００２９】
オイルパン３には、除塵用オイルが、予め設定されている規定レベル（段部２５の上面２５ａの位置）まで貯留されており、オイルパン３の上方から下方へ流動された吸入空気は、除塵用オイルの油面に接触し、そこで、二次除塵が行われた後、反転されてオイルパン３のほぼ中央に形成されている内筒６に沿って上昇される（矢印Ｃ）。
【００３０】
オイルパン３の内筒６に沿って上昇された吸入空気は、その上方に配設されているクリーナエレメント１８を通過する際に、三次除塵が行われる。そして、三次除塵が行われた吸入空気は、クリーナカバー４の内面とクリーナエレメント１８の上面との間に形成されている空隙部から、エレメント押え１３の内筒１４の上部に形成されている流入口２１を経て、内筒１４内に流入し、この内筒１４に沿って下方へ流動する（矢印Ｄ）。
【００３１】
内筒１４に沿って下方へ流動する吸入空気が、オイルパン３の下面に形成されている下枠部５の内周と架台２の上面との間に形成されている空間部に到達すると（矢印Ｅ）、この空間部から架台２に形成した吸気通路（図示せず）を通り、エンジンの吸気系へ供給される。
【００３２】
一方、オイルパン３に貯留されている除塵用オイルを交換する場合は、先ず、クリーナカバー４の上面を締結している蝶ナット２０を緩め、クリーナカバー４を取り外し、次いで、オイルパン３を取り外し、このオイルパン３に貯留されている古い除塵用オイルを廃棄する。
【００３３】
そして、オイルパン３を所定に清掃した後、このオイルパン３に形成されているボス７を、架台２から突出されているボルト１０に挿通すると共に、オイルパン３の底面に形成されている下枠部５を、架台２の上面に形成されている溝部１２にＯリング１１を介して載置させる。その際、下枠部５がオイルパン３の底面に対して非対称に配設されているため、架台２に対する取付け方向が一義的に決定される。尚、この場合、オイルパン３を架台２に取付けることなく、平坦な場所に載置する等して水平状態を維持するようにしても良い。
【００３４】
そして、このオイルパン３に対して、上方から新たな除塵用オイルを注入する。その際、作業者がオイルパン３を上方から覗くと、図５に示すように、オイルパン３内のレベル表示面２３ａ側に、段部２５の上面２５ａが視認される。
【００３５】
この上面２５ａは、除塵用オイルの規定レベルを示す位置に形成されているので、作業者は、除塵用オイルの油面が上面２５ａに達するまで注入することで、除塵用オイルが規定量に達したことを容易に認識することができる。又、除塵用オイルの規定レベルを段部２５の上面２５ａで表示したので、上方からの視認性が良い。更に、除塵用オイルを注入するに際して計量する必要がないため、作業性がよい。
【００３６】
しかも、この上面２５ａが水平方向へ平坦に形成されているため、除塵用オイルを注入するに際し、この除塵用オイルの油面に対してオイルパン３が水平状態にあるか否かを簡単に認識することができ、除塵用オイルの注入量をより正確に設定することができる。尚、このオイルパン３は、光透過性を有する透明或は半透明な樹脂製であるため、除塵用オイルの注入レベルをレベル表示面２３ａ側、すなわち側方からも容易に確認することができる。
【００３７】
そして、オイルカップ３に対して除塵用オイルを規定量だけ注入した後は、架台２に載置されているオイルカップ３に対してクリーナカバー４のカバー側面部２２を上方から外装する。次いで、クリーナカバー４の内面上部に形成したエレメント収容枠１７に掛止されているエレメント押え１３の軸部１５を、ボルト１０に挿通すると共に、このエレメント押え１３に形成されている内筒１４の下端を、オイルパン３に設けた内筒６の上部に形成されている溝部６ａに装着する。
【００３８】
その後、クリーナカバー４の上面に突出されているボルト１０に蝶ナット２０を螺入する。すると、蝶ナット２０の締結力によりクリーナカバー４の上面を介してエレメント押え１３、オイルパン３を押圧して、これらが架台２上に固定される。
【００３９】
図１に示すように、クリーナカバー４が所定に固定されると、このクリーナカバー４のカバー側面部２２に形成されている切欠き窓２２ａから、オイルパン３のレベル表示面２３ａが露呈され、例えば、このレベル表示面２３ａに表示されているレベル指標部２６やレベル表示面２３ａを透過して視認することのできる段部２５の上面２５ａと、除塵用オイルの油面とを比較することで、エンジンが水平に載置されているか否かを、簡易的に認識することができる。
【００４０】
このように、本実施の形態によれば、オイルパン３自体に段部２５を形成し、この段部２５の上面２５ａを除塵用オイルの規定レベルとしたので、この規定レベルをオイルパン３の成形時に形成することができ、製造が容易となる。
【００４１】
又、オイルパン３に形成されている上面２５ａを上方から視認しながら除塵用オイルを注入することで、除塵用オイルを規定量だけ注入することができるため、注入時の視認性が良く、又、除塵用オイルの注入量を計量する必要がないため作業性が良く、保守点検の容易化を実現することができる。
【００４２】
尚、本発明は上述した実施の形態に限るものではなく、例えば、オイルパン３は、少なくともレベル表示面２３ａのみが光透過性を有していれば良く、他の部位は不透明であっても良い。
【００４３】
【発明の効果】
以上、説明したように本発明によれば、除塵用オイルを交換する際の作業性、及び視認性が良く、保守点検の容易化を実現することができる等、優れた効果が奏される。
【図面の簡単な説明】
【図１】オイルバス式エアクリーナの側面図
【図２】図１を背面から見た断面図
【図３】オイルパンの側面図
【図４】図３のＩＶ−ＩＶ断面図
【図５】オイルパンの平面図
【図６】オイルパンの底面図
【符号の説明】
１  オイルバス式エアクリーナ
２  架台（クリーナ本体）
３  オイルパン
４  クリーナカバー
２３ａ  レベル表示面
２４  吸気通路
２５  段部
２５ａ  上面
【図１】
2004232564.tif 000003
【図２】
2004232564.tif 000004
【図３】
2004232564.tif 000005
【図４】
2004232564.tif 000006
【図５】
2004232564.tif 000007
【図６】
2004232564.tif 000008